(57)【要約】【課題】浄水器の漏水時に直ちに取水を停止して、環境及び財産の損壊を回避することができる、浄水器漏水安全保護装置を提供すること。【解決手段】漏水検出モジュール１が、漏水検出インターフェイス１１と、第１抵抗Ｒ１と、第１コンデンサＣ１を含み、第１コンデンサＣ１の一端が第１抵抗Ｒ１と直列接続された後、電源ＶＣＣに接続され、他端が接地され、漏水検出インターフェイス１１が第１コンデンサＣ１の両端に並列接続され、第１コンデンサＣ１と第１抵抗Ｒ１の接続ノードが制御モジュール２に接続され、漏水検出インターフェイス１１が水を検出した時、漏水検出モジュール１が第１トリガー信号を制御モジュール２に出力し、制御モジュール２は、第１トリガー信号を受信した時、電磁弁モジュール３を制御して該浄水器の取水口を閉鎖させる。【選択図】図３
0003224892.tif 000002
【実用新案登録請求の範囲】
【請求項１】
浄水器漏水安全保護装置であって、漏水検出モジュールと、該漏水検出モジュールに接続された制御モジュールと、該制御モジュールに接続された電磁弁モジュールを含み、
前記漏水検出モジュールが、漏水検出インターフェイスと、第１抵抗と、第１コンデンサを含み、該第１コンデンサの一端が第１抵抗と直列接続された後、電源に接続され、他端が接地され、前記漏水検出インターフェイスが第１コンデンサの両端に並列接続され、該第１コンデンサと前記第１抵抗の接続ノードが前記制御モジュールに接続され、前記漏水検出インターフェイスが水を検出した時、前記漏水検出モジュールが第１トリガー信号を前記制御モジュールに出力し、
該制御モジュールは、前記第１トリガー信号を受信した時、前記電磁弁モジュールを制御して浄水器の取水口を閉鎖させる、ことを特徴とする、浄水器漏水安全保護装置。
【請求項２】
前記制御モジュールに接続された流量検出モジュールを含み、該流量検出モジュールが該浄水器の出水口の連続流量値を検出するために用いられ、該流量検出モジュールは、検出した連続流量値が既定の値に到達した時、第２トリガー信号を前記制御モジュールに出力して前記浄水器の取水口を閉鎖させる、ことを特徴とする、請求項１に記載の浄水器漏水安全保護装置。
【請求項３】
前記制御モジュールに接続された流量検出モジュールを含み、該流量検出モジュールは前記浄水器の出水口の累積流量値を検出するために用いられ、前記流量検出モジュールは、検出した累積流量値が既定の値に到達した時、第３トリガー信号を前記制御モジュールに出力し、該制御モジュールが前記第３トリガー信号を受信した時、前記浄水器の取水口を閉鎖させる、ことを特徴とする、請求項１に記載の浄水器漏水安全保護装置。
【請求項４】
前記制御モジュールに接続された警報モジュールを含み、前記制御モジュールは、前記第３トリガー信号を受信したとき、警報信号を前記警報モジュールに出力し、該警報モジュールは前記警報信号を受信したとき警報を発する、ことを特徴とする、請求項３に記載の浄水器漏水安全保護装置。
【考案の詳細な説明】
【技術分野】
【０００１】
本考案は、浄水器の漏水を検出して防護する、浄水器漏水安全保護装置に関する。
【背景技術】
【０００２】
浄水器は、ウォーターサーバーとも呼ばれ、水質を濾過、浄化する設備である。ウォーターサーバーは内部または外部要因により漏水が発生し、環境及び財産の損壊を招くことがある。
【考案の概要】
【考案が解決しようとする課題】
【０００３】
本考案が解決しようとする課題は、浄水器の漏水時に直ちに取水を停止して、環境及び財産の損壊を回避することができる、浄水器漏水安全保護装置を提供することにある。
【課題を解決するための手段】
【０００４】
本考案の浄水器漏水安全保護装置は、漏水検出モジュールと、該漏水検出モジュールに接続された制御モジュールと、該制御モジュールに接続された電磁弁モジュールを含み、前記漏水検出モジュールが、漏水検出インターフェイスと、第１抵抗と、第１コンデンサを含み、該第１コンデンサの一端が第１抵抗と直列接続された後、電源に接続され、他端が接地され、前記漏水検出インターフェイスが第１コンデンサの両端に並列接続され、該第１コンデンサと前記第１抵抗の接続ノードが前記制御モジュールに接続され、前記漏水検出インターフェイスが水を検出した時、前記漏水検出モジュールが第１トリガー信号を前記制御モジュールに出力し、該制御モジュールは、前記第１トリガー信号を受信した時、前記電磁弁モジュールを制御して浄水器の取水口を閉鎖させる。
【０００５】
望ましくは、前記制御モジュールに接続された流量検出モジュールを含み、該流量検出モジュールが該浄水器の出水口の連続流量値を検出するために用いられ、該流量検出モジュールは、検出した連続流量値が既定の値に到達した時、第２トリガー信号を前記制御モジュールに出力して前記浄水器の取水口を閉鎖させる。
【０００６】
望ましくは、前記制御モジュールに接続された流量検出モジュールを含み、該流量検出モジュールは前記浄水器の出水口の累積流量値を検出するために用いられ、前記流量検出モジュールは、検出した累積流量値が既定の値に到達した時、第３トリガー信号を前記制御モジュールに出力し、該制御モジュールが前記第３トリガー信号を受信した時、前記浄水器の取水口を閉鎖させる。
【０００７】
望ましくは、前記制御モジュールに接続された警報モジュールを含み、前記制御モジュールは、前記第３トリガー信号を受信したとき、警報信号を前記警報モジュールに出力し、該警報モジュールは前記警報信号を受信したとき警報を発する。
【考案の効果】
【０００８】
本考案の浄水器漏水安全保護装置には、次の利点がある。
１.漏水時に取水を停止して環境及び財産の損壊を回避する。
２.浄水器内部の消耗材は消耗・摩損するが、流量検出モジュールが出水口の累積水流量を検出して、既定の流量値に到達すると、該制御モジュールが警報信号を出力して使用者に消耗材を交換するよう提示する。
【図面の簡単な説明】
【０００９】
【図１】本考案の実施例を示す浄水器漏水安全保護装置のモジュールブロック図である。
【図２】本考案の実施例に係る漏水検出インターフェイスと浄水器の位置関係を示す概略図である。
【図３】本考案の実施例を示す浄水器漏水安全保護装置の回路原理図である。
【図４】本考案の実施例に係る電磁弁モジュールのモジュールブロック図である。
【図５】本考案の他の実施例を示す浄水器漏水安全保護装置の回路原理図である。
【考案を実施するための形態】
【００１０】
以下、図面に基づいて本考案の実施例を詳細に説明する。
【００１１】
本考案の浄水器漏水安全保護装置は、図１に示すように、漏水検出モジュール１と、漏水検出モジュール１に接続された制御モジュール２と、制御モジュール２に接続された電磁弁モジュール３を含む。
漏水検出モジュール１は、浄水器に漏水が発生していないかを検出するために用いられ、漏水検出モジュール１が浄水器の漏水を検出すると、第１トリガー信号を制御モジュール２に出力し、制御モジュール２が電磁弁モジュール３を制御して、浄水器の取水口を閉鎖させる。
【００１２】
図３に示すように、漏水検出モジュール１は、漏水検出インターフェイス１１と、第１コンデンサＣ１と、抵抗Ｒ１を含む。
第１コンデンサＣ１は、その一端が抵抗Ｒ１に直列接続された後、電源ＶＣＣに接続され、他端が接地される。
漏水検出インターフェイス１１はコンデンサＣ１の両端に並列接続され、かつコンデンサＣ１と抵抗Ｒ１の接続ノードが制御モジュール２に接続される。
【００１３】
図２に示すように、漏水検出インターフェイス１１は浄水器４の筐体底部に設置される。正常な状況下で、漏水検出インターフェイス１１は電流遮断状態にある。浄水器４の漏水時、筐体に沿って水が浄水器４底部へと流れ、水が漏水検出インターフェイス１１に接触すると導通され、漏水検出モジュール１に第１トリガー信号を制御モジュール２に出力させる。
【００１４】
本実施例において、制御モジュール２は８ビットＭＣＵである。制御モジュール２は、第１入力端ＩＮＴ１と、第１出力端ＯＵＴ１を備えている。第１入力端ＩＮＴ１は漏水検出モジュール１に接続され、第１トリガー信号を受信する。第１出力端ＯＵＴ１は電磁弁モジュール３に接続され、第１トリガー信号を受信したとき電磁弁モジュール３を制御して浄水器４の取水口を閉鎖させる。
【００１５】
図４に示すように、電磁弁モジュール３は、電源ユニット３１と、電源ユニット３１に接続された整流ユニット３２と、整流ユニット３２に接続された第１フィルタユニット３３と、第１フィルタユニット３３に接続されたレギュレータユニット３４と、レギュレータユニット３４に接続された第２フィルタユニット３５と、第２フィルタユニット３５に接続された電磁弁制御ユニット３６と、電磁弁制御ユニット３６に接続され、かつ浄水器４の取水口を閉鎖するために用いられる電磁弁３７を含む。
【００１６】
本実施例において、電源ユニット３１は具体的には交流２４Ｖ電源であり、整流ユニット３２は具体的にはＭＢ６整流ブリッジであり、レギュレータユニット３４は具体的にはＸＬ２００９チップであり、ＸＬ２００９チップは降圧型スイッチングＤＣ−ＤＣ変換チップで、電源の２４Ｖ電圧信号を５Ｖ電圧信号に変換し、電磁弁制御ユニット３６は具体的にはＴＣ１１８チップで、電磁弁３７の駆動に用いられる。
電磁弁制御ユニット３６の電源端が第２フィルタユニット３５に接続され、電磁弁制御ユニット３６の入力端が制御モジュール２に接続され、制御モジュール２が第１トリガー信号を受信すると、制御モジュール２が電磁弁制御ユニット３６を介して電磁弁３７を駆動し、浄水器４の取水口を閉鎖させる。
【００１７】
電磁弁モジュール３はさらに電池ユニット３８を含み、電池ユニット３８が電磁弁制御ユニット３６に接続され、電源ユニット３１が給電を停止したとき電磁弁制御ユニット３６がバックアップ用の５Ｖ電源信号を提供する。
【００１８】
図５は、本考案の他の実施例を示す。なお、以上に説明した実施例と共通する構造については、詳細な説明を省略する。
他の実施例において、制御モジュール２はさらに第２入力端ＩＮＴ２を備え、浄水器漏水安全保護装置はさらに制御モジュール２の第２入力端ＩＮＴ２に接続された流量検出モジュール５を含む。
流量検出モジュール５は、浄水器４の出水口の連続流量値を検出するために用いられ、浄水器４の出水口の連続流量値が既定の連続流量値に到達したことを流量検出モジュール５が検出すると、第２トリガー信号を制御モジュール２に出力し、制御モジュール２が第２トリガー信号を受信すると、浄水器４の取水口を閉鎖させる。
【００１９】
流量検出モジュール５は、水流センサー５１と、抵抗Ｒ２と、抵抗Ｒ３と、コンデンサＣ２を含む。
水流センサー５１の第１端がＶＣＣ電源に接続され、第２端が抵抗Ｒ２に接続された後接地され、水流センサー５１の出力端が制御モジュール２の第２入力端ＩＮＴ２に接続される。また、抵抗Ｒ３の一端がＶＣＣ電源に接続され、他端がコンデンサＣ２に直列接続された後、接地される。水流センサー５１の出力端はさらに抵抗Ｒ３とコンデンサＣ２の接続ノードに接続される。
【００２０】
水流センサー５１は浄水器４の出水口の水流量を検出するために用いられる。水流センサー５１は、既定の連続流量値を有し、浄水器４の出水口の連続水流量が既定の連続流量値に到達したことを検出すると、第２トリガー信号を制御モジュール２に出力し、制御モジュール２に電磁弁モジュール３を制御して浄水器４の取水口を閉鎖させる。
水の正常な使用時の誤ったトリガーを回避するために、既定の連続流量値は水の正常な使用時の連続流量値よりずっと大きく設定することができる。例えば、既定の連続流量値を１００Ｌに設定することができ、使用者が正常に水を使用したときの連続流量値は１００Ｌに達することがないため、浄水器４の出水口の連続漏水があり、かつ使用者が気付かない場合のみ１００Ｌの連続流量値に達する。この場合、浄水器４の出水口箇所の連続流量値が１００Ｌに達すると、浄水器４の取水口が閉鎖され、浄水器４の漏水継続を効果的に阻止し、環境及び財産の損壊発生を回避できる。
【００２１】
流量検出モジュール５は浄水器４の出水口の累積流量値を検出するために用いることもできる。浄水器４の出水口の累積流量値が既定の累積流量値に到達したことを流量検出モジュール５が検出すると、第３トリガー信号を制御モジュール２に出力し、制御モジュール２が第３トリガー信号を受信すると、浄水器４の取水口を閉鎖させる。
水流センサー５１は、既定の累積流量値を有し、浄水器４の出水口の累積水流量値が既定の累積流量値に到達したことを水流センサー５１が検出すると、第３トリガー信号を制御モジュール２に出力し、電磁弁モジュール３を制御して浄水器４の取水口を閉鎖させる。
【００２２】
浄水器４を長期間使用すると、その内部の消耗材が消耗して磨耗し、一定程度磨耗すると浄水器４の浄水効果に影響を生じる。このため、流量検出モジュール５で浄水器４の出水口の累積流量値を検出し、累積流量値が既定の累積流量値に達すると浄水器４の取水口を閉鎖して浄水器４の取水と浄水を停止し、内部の消耗材が浄水効果に影響するほど消耗・摩損していればすぐに内部の消耗材の消耗継続を停止し、浄水器４の浄水品質と効果を保証することができる。
【００２３】
制御モジュール２はさらに第２出力端ＯＵＴ２と第３入力端ＩＮＴ３を備え、浄水器漏水安全保護装置はさらに第２出力端ＯＵＴ２に接続された警報モジュール６と、第３入力端ＩＮＴ３に接続されたボタンモジュール７を含む。
【００２４】
制御モジュール２は、第３トリガー信号を受信したとき、さらに警報信号を警報モジュール６に出力し、警報を発生させることで、使用者に内部の消耗材をすぐに交換するよう提示する。
警報モジュール６は、抵抗Ｒ４と、抵抗Ｒ５と、ＰＮＰ三極管Ｑ１と、ブザーＨを含む。ＰＮＰ三極管Ｑ１のベースが抵抗Ｒ４に直列接続された後、制御モジュール２の第２出力端ＯＵＴ２に接続され、コレクタが接地され、エミッタが抵抗Ｒ５に直列接続された後、ＶＣＣ電源に接続される。ブザーＨは抵抗Ｒ５の両端に並列接続される。
一般的な状況のとき、制御モジュール２の第２出力端ＯＵＴ２はＨレベルの信号をＰＮＰ三極管Ｑ１に出力して遮断させ、制御モジュール２が第３トリガー信号を受信したとき、制御モジュール２の第２出力端ＯＵＴ２がＬレベルの警報信号をＰＮＰ三極管Ｑ１に出力し、ＰＮＰ三極管Ｑ１を導通させて、ブザーＨの給電回路を接続し、ブザーＨに警報を発生させて使用者にすぐに内部の消耗材を交換するよう提示する。
【００２５】
ボタンモジュール７は、ボタンＳ１と、抵抗Ｒ６と、コンデンサＣ３を含む。
ボタンＳ１は、その一端が接地され、他端が抵抗Ｒ６に直列接続された後、電源ＶＣＣに接続される。コンデンサＣ３はボタンＳ１の両端に並列接続され、かつボタンＳ１と抵抗Ｒ６の接続ノードが制御モジュール２の第３入力端ＩＮＴ３に接続される。
ボタンモジュール７は、浄水器漏水安全保護装置の動作モード切り替え及び電磁弁３７の再起動に用いることができる。
該動作モードは第１動作モードと第２動作モードを含むことができるが、これらに限らない。該第１動作モードは警報モード（警報モジュール６が動作可能な状態）、第２動作モードは普通モード（警報モジュール６が完全に動作できない状態）とすることができる。
【００２６】
ボタンＳ１を開にすると、制御モジュール２の第３入力端ＩＮＴ３に入力される電力がＨレベル状態となり、ボタンＳ１を閉にすると、制御モジュール２の第３入力端ＩＮＴ３が接地され、Ｌレベル状態に転換し、これにより制御モジュール２の動作モードが切り替えられる。
【００２７】
本考案の浄水器漏水安全保護装置の動作原理は次のとおりである。
漏水検出インターフェイス１１が水に接触していないとき開状態となり、制御モジュール２の第１入力端ＩＮＴ１がＶＣＣ電源に接続され、このとき第１入力端ＩＮＴ１はＨレベル状態となる。
水が漏水検出インターフェイス１１に接触すると導通され、制御モジュール２の第１入力端ＩＮＴ１が直接接地され、第１入力端ＩＮＴ１がＨレベルからＬレベル状態となり、制御モジュール２がトリガーされて電磁弁モジュール３を制御し、すぐに浄水器の取水口が閉鎖される。
【符号の説明】
【００２８】
１      漏水検出モジュール
１１    漏水検出インターフェイス
２      制御モジュール
３      電磁弁モジュール
３１    電源ユニット
３２    整流ユニット
３３    第１フィルタユニット
３４    レギュレータユニット
３５    第２フィルタユニット
３６    電磁弁制御ユニット
３７    電磁弁
３８    電池ユニット
４      浄水器
５      流量検出モジュール
５１    水流センサー
６      警報モジュール
７      ボタンモジュール
【図１】
0003224892.tif 000003
【図２】
0003224892.tif 000004
【図３】
0003224892.tif 000005
【図４】
0003224892.tif 000006
【図５】
0003224892.tif 000007